【手続補正書】
【提出日】平成16年1月5日(2004.1.5)
【手続補正１】
【補正対象書類名】明細書
【補正対象項目名】特許請求の範囲
【補正方法】変更
【補正の内容】
【特許請求の範囲】
【請求項１】
打撃を電気信号として検出し、検出した電気信号に基づいて楽音を生成する電子打楽器装置において、
打撃を行うための打撃面をチューニング可能なヘッドと、
前記ヘッドのチューニング状態を設定する操作子と、
前記ヘッドへの打撃を電気信号として検出する打撃検出手段と、
前記打撃検出手段によって検出された電気信号を入力して演算処理を行い、打点位置情報を検出する打点位置検出手段と、
前記打点位置検出手段における演算処理を、前記操作子によって設定された前記ヘッドのチューニング状態に対応して補正する演算処理補正手段と
を有することを特徴とする電子打楽器装置。
【請求項２】
打撃を電気信号として検出し、検出した電気信号に基づいて楽音を生成する電子打楽器装置において、
打撃を行うための打撃面をチューニング可能なヘッドと、
前記ヘッドのチューニング状態を設定する操作子と、
前記ヘッドへの打撃を電気信号として検出する打撃検出手段と、
前記打撃検出手段によって検出された電気信号を入力して演算処理を行い、打撃力情報を検出する打撃力検出手段と、
前記打撃力検出手段における演算処理を、前記操作子によって設定された前記ヘッドのチューニング状態に対応して補正する演算処理補正手段と
を有することを特徴とする電子打楽器装置。
【請求項３】
請求項１または２記載の電子打楽器装置において、
前記演算処理補正手段は、前記ヘッドのチューニング状態として選択された前記ヘッドのヘッド・タイプに対応して打撃位置または打撃力を補正する
ことを特徴とする電子打楽器装置。
【請求項４】
請求項１または２記載の電子打楽器装置において、
前記演算処理補正手段は、前記ヘッドのチューニング状態として選択された前記ヘッドのチューニング・タイプに対応して打撃位置または打撃力を補正する
ことを特徴とする電子打楽器装置。
【手続補正２】
【補正対象書類名】明細書
【補正対象項目名】０００８
【補正方法】変更
【補正の内容】
【０００８】
【発明が解決しようとする課題】
本発明は、上記したような問題点に鑑みてなされたものであり、その目的とするところは、ヘッドのチューニングによるヘッドの張力の変化を補正して、正確な打撃位置の検出を行うことができるようにした電子打楽器装置を提供しようとするものである。


【手続補正３】
【補正対象書類名】明細書
【補正対象項目名】０００９
【補正方法】変更
【補正の内容】
【０００９】
また、本発明は、ヘッドのチューニングによるヘッドの張力の変化を補正を補正して、正確な打撃力の検出を行うことができるようにした電子打楽器装置を提供しようとするものである。


【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
【課題を解決するための手段】
上記目的を達成するために、本発明のうち請求項１に記載の発明は、打撃を電気信号として検出し、検出した電気信号に基づいて楽音を生成する電子打楽器装置において、打撃を行うための打撃面をチューニング可能なヘッドと、上記ヘッドのチューニング状態を設定する操作子と、上記ヘッドへの打撃を電気信号として検出する打撃検出手段と、上記打撃検出手段によって検出された電気信号を入力して演算処理を行い、打点位置情報を検出する打点位置検出手段と、上記打点位置検出手段における演算処理を、上記操作子によって設定された上記ヘッドのチューニング状態に対応して補正する演算処理補正手段とを有するようにしたものである。


【手続補正７】
【補正対象書類名】明細書
【補正対象項目名】００１３
【補正方法】変更
【補正の内容】
【００１３】
従って、本発明のうち請求項１に記載の発明によれば、ヘッドのチューニングに対応して打点位置情報を検出するための演算処理の補正が行われるので、ヘッドのチューニングに対応して正確な打点位置情報が得られ、正確な打撃位置を得ることができる。


【手続補正８】
【補正対象書類名】明細書
【補正対象項目名】００１４
【補正方法】変更
【補正の内容】
【００１４】
また、本発明のうち請求項２に記載の発明は、打撃を電気信号として検出し、検出した電気信号に基づいて楽音を生成する電子打楽器装置において、打撃を行うための打撃面をチューニング可能なヘッドと、上記ヘッドのチューニング状態を設定する操作子と、上記ヘッドへの打撃を電気信号として検出する打撃検出手段と、上記打撃検出手段によって検出された電気信号を入力して演算処理を行い、打撃力情報を検出する打撃力検出手段と、上記打撃力検出手段における演算処理を、上記操作子によって設定された上記ヘッドのチューニング状態に対応して補正する演算処理補正手段とを有するようにしたものである。


【手続補正９】
【補正対象書類名】明細書
【補正対象項目名】００１５
【補正方法】変更
【補正の内容】
【００１５】
従って、本発明のうち請求項２に記載の発明によれば、ヘッドのチューニングに対応して打撃力情報を検出するための演算処理の補正が行われるので、ヘッドのチューニングに対応して正確な打撃力情報が得られ、正確な打撃力を得ることができる。


【手続補正１０】
【補正対象書類名】明細書
【補正対象項目名】００１６
【補正方法】変更
【補正の内容】
【００１６】
また、本発明のうち請求項３に記載の発明は、請求項１または２記載の発明において、上記演算処理補正手段は、上記ヘッドのチューニング状態として選択された上記ヘッドのヘッド・タイプに対応して打撃位置または打撃力を補正するようにしたものである。


【手続補正１１】
【補正対象書類名】明細書
【補正対象項目名】００１７
【補正方法】変更
【補正の内容】
【００１７】
従って、本発明のうち請求項３に記載の発明によれば、ヘッドのヘッド・タイプに対応して、打点位置情報を検出するための演算処理または打撃力情報を検出するための演算処理の補正が行われ、ヘッド・タイプに対応して正確な打点位置情報または打撃力情報が得られて、正確な打撃位置または打撃力を得ることができる。


【手続補正１２】
【補正対象書類名】明細書
【補正対象項目名】００１８
【補正方法】変更
【補正の内容】
【００１８】
また、本発明のうち請求項４に記載の発明は、請求項１または２記載の発明において、上記演算処理補正手段は、上記ヘッドのチューニング状態として選択された上記ヘッドのチューニング・タイプに対応して打撃位置または打撃力を補正するようにしたものである。


【手続補正１３】
【補正対象書類名】明細書
【補正対象項目名】００１９
【補正方法】変更
【補正の内容】
【００１９】
従って、本発明のうち請求項４に記載の発明によれば、ヘッドのチューニング・タイプに対応して、打点位置情報を検出するための演算処理または打撃力情報を検出するための演算処理の補正が行われ、チューニング・タイプに対応して正確な打点位置情報または打撃力情報が得られて、正確な打撃位置または打撃力を得ることができる。


【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００３５
【補正方法】変更
【補正の内容】
【００３５】
以上の構成において、スティック（図示せず）によりヘッド１２を打撃した場合には、ヘッド・センサー１４がその打撃を検出し、スティックによりリム１６を打撃した場合には、リム・ショット・センサー１８がその打撃を検出し、ブラシによりヘッド１２を擦ったり叩いたりした場合には、ヘッド・センサー１４がブラシのヘッド１２への接触を検出することになる。


【手続補正１７】
【補正対象書類名】明細書
【補正対象項目名】００３８
【補正方法】変更
【補正の内容】
【００３８】
次に、操作子群３０のモード選択操作子の操作状態を監視して、動作モードとして、ヘッド１２の網状素材の張力を調整してヘッド１２の打撃感を変化させるチューニング・モードが設定されているか、ヘッド１２への打撃ならびにリム１６への打撃を検出して打楽器音を発音する通常演奏モードが設定されているか、あるいはヘッド１２をブラシで擦ったり叩いたりしたことを検出して打楽器音を発音するブラシ演奏モードが設定されているかを判断する（ステップＳ８０４）。


【手続補正１８】
【補正対象書類名】明細書
【補正対象項目名】００５９
【補正方法】変更
【補正の内容】
【００５９】
具体的には、タイマＴをインクリメントし（ステップＳ９２４）、最大値ｍａｘとサンプル・データＳの絶対値とを比較し、大きい方の値により最大値ｍａｘを書き換え（ステップＳ９２６）、ＤＳＰ打撃信号処理ルーチンを終了する。


【手続補正１９】
【補正対象書類名】明細書
【補正対象項目名】００８１
【補正方法】変更
【補正の内容】
【００８１】
上記のようにしてステップＳ１４１２の処理を終了した場合、あるいはステップＳ１４０２において操作子群３０のヘッド・タイプ設定操作子またはチューニング・タイプ設定操作子のいずれもが操作されず、ヘッド・タイプまたはチューニング・タイプのいずれの変更も指示されていない場合には、ＤＳＰ２２から送出された打点位置情報ＡＰを表示装置３２により表示する（ステップＳ１４１４）。即ち、ＤＳＰ打撃信号処理ルーチンにおいてＣＰＵ２４に設定された打点位置情報ＡＰを、表示装置３２により表示するものである。


【手続補正２０】
【補正対象書類名】明細書
【補正対象項目名】０１０２
【補正方法】変更
【補正の内容】
【０１０２】
【発明の効果】
本発明は、以上説明したように構成されているので、正確な打撃位置の検出を行うことができるという優れた効果を奏する。


【手続補正２１】
【補正対象書類名】明細書
【補正対象項目名】０１０３
【補正方法】変更
【補正の内容】
【０１０３】
また、本発明は、正確な打撃力の検出を行うことができるという優れた効果を奏する。


【手続補正２２】
【補正対象書類名】明細書
【補正対象項目名】０１０４
【補正方法】削除
【補正の内容】